(57)【要約】      （修正有）【課題】吊下具が所定以上の力で引張られると、なす環は破損することなく吊下具から離脱し、学童の安全を守ることができるランドセル用吊下具を提供する。【解決手段】基枠部１４の上方に形成した段部２３を介して上方に支持部２６を一体に形成し、基枠部１４の表面側下部中央に設けたフック部１６と段部２３の表面側に形成した台部２４との間にばね体１８を取付けて吊下部１５を形成する。中間部をＵ字形に折り曲げて折曲部１９を形成したばね体１８の両端部２１、２１を台部２４の両側に枢動可能に軸支し、折曲部１９の略先端を基枠部方向に湾曲させて中間部に設けた湾曲頂部２０をフック部１６の上端内側に付勢させて当接し、基枠部１４の上方に設けた支持部２６に有した切欠嵌合孔２７の内径よりやや狭い開口幅を有する連通路を切欠嵌合孔の軸線方向と直角方向の上方側に設けてある。【選択図】図６
0003172052.tif 000002
【実用新案登録請求の範囲】
【請求項１】
フック部（１６）とばね体（１８）とかなる吊下部（１５）を表面側に設けた基枠部（１４）の上方に、段部（２３）を介して上部に切欠嵌合孔（２７）を有した支持部（２６）を一体に形成し、前記切欠嵌合孔（２７）の内径よりやや狭い開口幅の連通路（２８）を前記切欠嵌合孔（２７）の軸線方向と直角方向の上方に設けてなることを特徴とするランドセル用なす環。
【請求項２】
前記基枠部（１４）に設けた吊下部（１５）は、表面側の下端中央に形成したＬ形のフック部（１６）と、前記段部（２３）の表面側中央に設けた台部（２４）との間に、Ｕ字形に折り曲げた折曲部（１９）を有したばね体（１８）の両端部（２１、２１）を前記台部（２４）の両側にそれぞれ枢動可能に軸支し、前記ばね体（１８）の略先端を基枠部側に湾曲させて形成した湾曲頂部（２０）を前記フック部（１６）の上端内側に付勢して当接させてなることを特徴とする請求項１記載のランドセル用なす環。
【請求項３】
中央に空間部（１７）を有した基枠部（１４）の上方に略クランク形に形成した段部（２３）を介して上方に支持部（２６）を一体に形成し、前記基枠部（１４）の表面側下部中央に設けたＬ字形のフック部（１６）と前記段部（２３）の表面側に形成した台部（２４）との間にばね体（１８）を取付けて吊下部（１５）を形成し、前記ばね体（１８）は中間部をＵ字形に折り曲げて折曲部（１９）を設け、該ばね体の両端部（２１、２１）を前記台部（２４）の両側から枢動可能に軸支し、前記折曲部（１９）の先端を基枠部側に湾曲させた中間部分に形成した湾曲頂部（２０）を前記フック部（１６）の上端内側に付勢させて当接し、前記基枠部（１４）の上方に設けた支持部（２６）の上部に形成した切欠嵌合孔（２７）は、該切欠嵌合孔の内径よりやや狭い開口幅を有する連通路（２８）を、前記切欠嵌合孔（２７）の軸線方向と直角方向の上方に設けてなることを特徴とするランドセル用なす環。
【請求項４】
中央に筒孔（３３）を設けた板部（３２）の後部面に凹溝部（３４）を有した取付片（３１）の上端と、表面板（３７）の内側中央直角方向に設けた支持筒（３８）に軸心方向に軸孔（３９）を有した係止片（３６）の上端とを可撓性を有する連結片（４２）で一体に連結してなる合成樹脂製の保持体（３０）と、
フック部（１６）とばね体（１８）とかなる吊下部（１５）を表面側に設けた基枠部（１４）の上方に、段部（２３）を介して上部に切欠嵌合孔（２７）を有した支持部（２６）を一体に形成し、前記切欠嵌合孔（２７）の軸線方向と直角方向の上方に、切欠嵌合孔（２７）の内径よりやや狭い幅の連通路（２８）を設けてなるなす環（１３）と、
前記保持体（３０）の取付片（３１）に設けた筒孔（３３）と係止片（３６）の軸孔（３９）に挿通する軸部（４６）の軸心方向にピン孔（４７）を形成し、該軸部の後端に係止鍔部（４８）を有してなる合成樹脂製の連結筒（４５）と、
前記連結筒（４５）のピン孔（４７）に圧入する金属製のピン軸（５１）の周面に一定間隔毎に複数の環状突起（５２）を同心円状に一体に形成した該ピン軸の一端に軸止鍔部（５３）を設けてなる圧入ピン（５０）とからなり、
前記保持体（３０）を形成する係止片（３６）の支持筒（３８）に、前記なす環（１３）の切欠嵌合孔（２７）を回転可能に嵌合し、取付片（３１）の凹溝部（３４）をランドセル（１）の大マチ部（３）に設けた前締ベルト（８）に嵌合すると共に、前記大マチ部（３）の裏側から連結筒（４５）の軸部（４６）を取付片（３１）の筒孔（３３）を通して係止片（３６）の軸孔（３９）に挿通し、係止片（３６）の表面板（３７）側から圧入ピン（５０）のピン軸（５１）を前記連結筒（４５）のピン孔（４７）に挿入圧着して取付けてなることを特徴とするランドセル用吊下具。
【請求項５】
中央に筒孔（３３）を設けた板部（３２）の後部面に凹溝部（３４）を有した取付片（３１）と、内側中央に直角方向に設けた支持筒（３８）の軸心方向に軸孔（３９）を有した係止片（３６）とを、前記表面板（３７）を有した合成樹脂製の保持体（３０）と、
フック部（１６）とばね体（１８）とかなる吊下部（１５）を表面に設けた基枠部（１４）の上方に、段部（２３）を介して上部に切欠嵌合孔（２７）を有した支持部（２６）を一体に形成し、前記切欠嵌合孔（２７）の軸線方向と直角方向の上方に、切欠嵌合孔（２７）の内径よりやや狭い幅の連通路（２８）を設けてなるなす環（１３）と、
前記保持体（３０）の取付片（３１）に設けた筒孔（３３）と係止片（３６）の軸孔（３９）に挿通する軸部（４６）の軸心方向にピン孔（４７）を形成し、該軸部の後端に係止鍔部（４８）を有してなる合成樹脂製の連結筒（４５）と、
前記連結筒（４５）のピン孔（４７）に圧入する金属製のピン軸（５１）の周面に一定間隔毎に複数の環状突起（５２）を同心円状に一体に形成した該ピン軸の一端に軸止鍔部（５３）を設けてなる圧入ピン（５０）とからなり、
前記保持体（３０）を形成する係止片（３６）の支持筒（３８）に、前記なす環（１３）の切欠嵌合孔（２７）を回転可能に嵌合し、取付片（３１）の凹溝部（３４）をランドセル（１）の大マチ部（３）に設けた前締ベルト（８）に嵌合すると共に、前記大マチ部（３）の裏側から連結筒（４５）の軸部（４６）を取付片（３１）の筒孔（３３）を通して係止片（３６）の軸孔（３９）に挿通し、係止片（３６）の表面板（３７）側から圧入ピン（５０）のピン軸（５１）を前記連結筒（４５）のピン孔（４７）に挿入圧着して取付けてなることを特徴とするランドセル用吊下具。
【請求項６】
前記保持体（３０）の係止片（３６）に設けた円柱状の支持筒（３８）に吊下げられたなす環（１３）は、該なす環に引張力が作用すると、なす環（１３）の切欠嵌合孔（２７）と連通した連通路（２８）の内壁面（２９）、（２９）で、前記支持筒（３８）の周面を求心方向に押圧変形させて連通路（２８）を支持筒（３８）が通過して抜けることによりなす環（１３）を前記保持体（３０）から離脱可能に形成したことを特徴とする請求項４又は５記載のランドセル用吊下具。
【考案の詳細な説明】
【技術分野】
【０００１】
本考案は、ランドセルの大マチ部に取付ける吊下具の改良に関する。
【背景技術】
【０００２】
従来、ランドセルの大マチ部には、学校で使用する体操着や給食器または学習教材などを収容する巾着袋等を吊下げるための吊下具が取付けられている。
【０００３】
吊下具の多くは、前記大マチ部に取付ける取付片と、下方に巾着袋を吊下げる吊下片とからなり、前記吊下片には、巾着袋をワンタッチで簡単に着脱でき、且つ、少し位乱暴に取り扱っても外れにくいことから、いわゆるなす環型をした吊下部が設けられている。
【０００４】
この吊下具は、大マチ部の上方に位置した前締めベルトにリベットや圧着鋲などの固定ピンで取付片を固定し、該取付片に吊下片を揺動可能に吊り下げて形成してある。この吊下片の吊下部に巾着袋を吊下げ、巾着袋の動きにあわせて枢動且つ揺動可能に取付けて吊下具が破損するのを防止している。
【０００５】
しかし、学童は身体の幅方向の感覚が十分に掴めないことから、ランドセルの大マチ部に取付けた吊下具に吊下げた巾着袋が通学路での路肩の突起物や、垣根から突出している木の枝などに引っ掛けやすく、また、友達同士でふざけて袋を引っ張られたとき、吊下具に過度の負担が加わると、吊下具の吊下片の連結片部分が破損して取付片から離脱するおそれがあった。さらには、吊下具に吊下げた巾着袋が引っ張られて吊下具が破損するだけならよいが、万一、吊下げた巾着袋が自動車のミラーやオートバイのミラーなどの突起部分に引っ掛かり引きずられると怪我をするおそれがあり非常に危険であった。
【０００６】
そこで、このような問題点を解決するために、吊下具に吊下げた袋に一定以上の引張力が作用したとき、吊下具の吊下片が取付片から破損することなく外れるようにして学童の怪我を防止し、学童の安全を図ることを目的とした吊下具が知られている。
【先行技術文献】
【特許文献】
【０００７】
【特許文献１】特開平１０−７１０１３号
【特許文献２】実開平０５−４８７１５号  前者は、断面楕円形の軸部を有した第１の部材と、前記第１の部材の軸部に軸支する軸穴に連通路を有した第２の部材と、該第２の部材の下方に設けた保持空間に取付けるなす環状の吊下げ部材とからなり、該吊下げ部材に吊下げた袋が引っ張られると、第１の部材の軸部に軸支されている第２の部材が回転して軸穴の連通路と軸部の狭軸部とが合致し、第１の部材から第２の部材が離脱して学童が引張られて怪我をするのを防止している。しかし、前記吊下具は、第１の部材、第２の部材および吊下げ部材など部品数が多くコストも高く不経済であると共に、取付け作業に手間がかかり非能率である。さらに、巾着袋が引っ張られたとき、巾着袋が必ずしも水平方向に回転するとは限らず、水平方向に回転しないと抜けないのでは非常に危険であるとの問題点を有している。
【０００８】
後者は、吊止具の支持部に設けたフック部の隙間からナス環の取付部を通して吊下げる構造で、ナス環が引張られると、フック部が弾性変形して隙間が広がりナス環を支持部から離脱させるものである。通常、ランドセルに取付ける吊下具の引張り強度は、２０〜３０ｋｇで抜ける強度が求められるが、前記ナス環吊り止め具のフック部の弾性変形は、１０ｋｇ程度の引張り力で抜ける可能性が高く安全性に問題がある。
【考案の概要】
【考案が解決しようとする課題】
【０００９】
本考案は、ランドセルの大マチ部に位置した前締めベルトに取付ける吊下具の構成部品を少なくして取付け作業の向上を図ると共に、２２〜２８ｋｇの引張り力がなす環に加わった場合、なす環がどのような角度でも破壊されることなく確実に抜け、また、抜けたなす環は再使用が可能で安全な強度性を有する吊下具を提供することを目的とする。
【課題を解決するための手段】
【００１０】
請求項１の考案は、フック部１６とばね体１８とかなる吊下部１５を表面側に設けた基枠部１４の上方に、段部２３を介して上方に切欠嵌合孔２７を有した支持部２６を一体に形成し、前記切欠嵌合孔２７の内径Ｈよりやや狭い開口幅ｈの連通路２８を前記切欠嵌合孔２７の軸線方向と直角方向の上方側に設けてなることを特徴とする。また、前記基枠部１４に設けた吊下部１５は、表面側の下端中央に断面Ｌ形に形成したフック部１６と、前記段部２３の表面側中央に設けた台部２４との間に、中間部をＵ字形に折り曲げた折曲部１９を有したばね体１８の両側端部２１、２１を前記台部２４の両側にそれぞれ枢動可能に軸支し、前記ばね体１８の略先端を基枠部側に湾曲させて中間部分に形成した湾曲頂部２０を前記フック部１６の上端内側に付勢して当接させてなることを特徴とする。
【００１１】
したがって、なす環１３は、吊下部１５を表面側に設けた基枠部１４の上方に段部２３を介して切欠嵌合孔２７とやや細幅の連通路２８を上部に有した支持部２６を一体に形成したことにより、なす環１３の構成部品数を減らすことができ、コストの軽減を図り経済的であると共に、軽量化と取付け作業の効率化を図ることができる。
【００１２】
請求項３の考案は、中央に空間部１７を有した基枠部１４の上方にクランク形に形成した段部２３を介して上方に支持部２６を一体に形成し、前記基枠部１４の表面側下部中央に設けたＬ字形のフック部１６と前記段部２３の表面側に形成した台部２４との間にばね体１８を取付けて吊下部１５を形成し、前記ばね体１８は中間部をＵ字形に折り曲げて折曲部１９を設け、該ばね体の両端部２１、２１を前記台部２４の両側から枢動可能に軸支し、前記折曲部１９の先端を基枠部側に湾曲させて中間部分に形成した湾曲頂部２０を前記フック部１６の上端内側に付勢させて当接し、前記基枠部１４の上方に設けた支持部２６の上部に形成した切欠嵌合孔２７は、該切欠嵌合孔の内径Ｈよりやや狭い開口幅ｈを有する連通路２８を該切欠嵌合孔の軸線方向と直角方向の上方側に設けてなることを特徴とする。
【００１３】
したがって、基枠部１４と段部２３との間の表面側に吊下部１５を形成し、上方に設けた支持部２６の切欠嵌合孔２７の軸線方向と直角方向の上方側に、切欠嵌合孔２７の内径よりやや狭い連通路２８を設けたことにより、なす環１３を吊下具１１として使用した場合、吊下げられているなす環１３が万一、強い引張力で引張られると、樹脂製の支持筒３８から切欠嵌合孔２７が壊れることなく安全確実に離脱させることがきるので、なす環１３の再使用が可能であることから極めて経済的である。
【００１４】
請求項４の考案は、中央に筒孔３３を設けた板部３２の後部面に凹溝部３４を有した取付片３１の上端と、表面板３７の内側中央直角方向に設けた支持筒３８の軸心方向に軸孔３９を有した係止片３６の上端とを可撓性を有する連結片４２で一体に連結した合成樹脂材からなる保持体３０と、フック部１６とばね体１８とかなる吊下部１５を表面側に設けた基枠部１４の上方に、段部２３を介して上部に切欠嵌合孔２７を有した支持部２６を一体に形成し、該支持部の切欠嵌合孔２７の軸線方向と直角方向の上方に、前記切欠嵌合孔２７の内径Ｈよりやや狭い幅ｈを有する連通路２８を設けてなるなす環１３と、前記保持体３０の取付片３１に設けた筒孔３３と係止片３６の軸孔３９に挿通する軸部４６の軸心方向にピン孔４７を設け、該軸部の後端に係止鍔部４８を有した合成樹脂製の連結筒４５と、前記連結筒４５のピン孔４７に圧入する金属製のピン軸５１の周面に一定間隔で複数の環状突起５２を同心円状に一体に形成した該ピン軸の一端に軸止鍔部５３を設けてなる圧入ピン５０とからなり、前記保持体３０を形成する係止片３６の支持筒３８に、前記なす環１３の切欠嵌合孔２７を回転可能に嵌合し、前記取付片３１の凹溝部３４をランドセル１の大マチ部３に設けた前締ベルト８に嵌合すると共に、前記大マチ部３の裏側から連結筒４５の軸部４６を取付片３１の筒孔３３を通して係止片３６の軸孔３９に挿通し、係止片３６の表面板３７側から圧入ピン５０のピン軸５１を前記連結筒４５のピン孔４７に挿入圧着して取付けてなることを特徴とする。
【００１５】
請求項５の考案は、中央に筒孔３３を設けた板部３２の後部面に凹溝部３４を有した取付片３１と、内側中央に直角方向に設けた支持筒３８の軸心方向に軸孔３９を有した係止片３６とを、前記表面板３７を有した合成樹脂製の保持体３０と、フック部１６とばね体１８とかなる吊下部１５を表面に設けた基枠部１４の上方に、段部２３を介して上部に切欠嵌合孔２７を有した支持部２６を一体に形成し、前記切欠嵌合孔２７の軸線方向と直角方向の上方に、切欠嵌合孔２７の内径よりやや狭い幅の連通路２８を設けてなるなす環１３と、前記保持体３０の取付片３１に設けた筒孔３３と係止片３６の軸孔３９に挿通する軸部４６の軸心方向にピン孔４７を形成し、該軸部の後端に係止鍔部４８を有してなる合成樹脂製の連結筒４５と、前記連結筒４５のピン孔４７に圧入する金属製のピン軸５１の周面に一定間隔毎に複数の環状突起５２を同心円状に一体に形成した該ピン軸の一端に軸止鍔部５３を設けてなる圧入ピン５０とからなり、前記保持体３０を形成する係止片３６の支持筒３８に、前記なす環１３の切欠嵌合孔２７を回転可能に嵌合し、取付片３１の凹溝部３４をランドセル１の大マチ部３に設けた前締ベルト８に嵌合すると共に、前記大マチ部３の裏側から連結筒４５の軸部４６を取付片３１の筒孔３３を通して係止片３６の軸孔３９に挿通し、係止片３６の表面板３７側から圧入ピン５０のピン軸５１を前記連結筒４５のピン孔４７に挿入圧着して取付けてなることを特徴とする。さらにまた、前記保持体３０の係止片３６に設けた円柱状の支持筒３８に吊下げられたなす環１３は、該なす環に２２〜２８ｋｇの引張力、即ち荷重が加わると、なす環１３の切欠嵌合孔２７と連通した連通路２８の内壁面２９、２９で、前記支持筒３８の周面を求心方向に押圧変形させて連通路２８を支持筒３８が通過して抜けることによりなす環１３を前記保持体３０から離脱可能に形成したことを特徴とする。
【００１６】
したがって、保持体３０を構成する取付片３１と係止片３６を連結片４２で連結して一体に形成したり、または、別体に連結片４２を設けることも可能であり、吊下具１１をランドセル１の大マチ部３に取付ける作業を容易にして作業能率の向上を図ることができると共に、係止片３６の支持筒３８に回転可能に吊下げたなす環１３は、切欠嵌合孔２７に連通した連通路２８を、なす環１３の吊下部１５と反対側の軸心方向の一端に開口してあるため、常になす環１３が引張られる方向と反対側に連通路２８が位置し、なす環１３が水平方向または垂直方向さらには斜め方向など、どの方向に引張られても引張り方向と反対側に連通路２８が位置し、所定以上の引張力が作用すると連通路２８の内壁面２９、２９に支持筒３８の周面が求心方向に押圧変形され、それによりなす環１３を離脱させて、巾着袋に引張られて学童が転倒する事故を未然に防止することができて安全である。
【図面の簡単な説明】
【００１７】
【図１】本考案にかかる吊下具を取付けたランドセルの側面図である。
【図２】大マチ部の前締ベルトに取付けた吊下具の要部拡大正面図である。
【図３】なす環の正面図である。
【図４】図３のＡ―Ａ線断面図である。
【図５】図２のＢ―Ｂ線断面図である。
【図６】吊下具の分解側面図である。
【図７】係止片の支持筒に吊下げられたなす環の正面図である。
【図８】なす環に設けた連通路で係止片の支持筒が変形して抜ける直前の状態を示す説明図である。
【図９】支持筒からなす環が抜けた状態を示す説明図である。
【考案を実施するための形態】
【００１８】
本考案の実施の形態を図面に基づいて説明すると、図１は本考案にかかる吊下具を取付けたランドセルの側面図、図２は大マチ部の前締ベルトに取付けた吊下具の要部拡大正面図、図３はなす環の正面図、図４は図３のＡ―Ａ線断面図である。ランドセル１は、背板２の背面に教科書を収納する大マチ部３と、各種教材を収容するマチ部４と、小物を収容する前ポケット５と、ランドセル１の上面全体を覆う蓋板６と、ランドセル１を背負う背負ベルト７とにより構成されている。側面の大マチ部３には、図１、２に示すごとく、幅方向に帯状に形成したいわゆる前締ベルト８と吊下具１１が取付けられ、この前締ベルト８の所定箇所と大マチ部３に吊下具１１を取付けるための連結筒４５を挿通するためのピン孔９を設けて形成してある。
【００１９】
前記ランドセル１に取付ける吊下具１１を構成するなす環１３は、図３、４に示すごとく、金属鋳造材または硬質合成樹脂材により表面側の下方に吊下部１５を有した基枠部１４の上方に段部２３を介して上部に切欠嵌合孔２７を設けた支持部２６をそれぞれ一体に形成してある。前記なす環１３の基枠部１４は、中央を刳り抜いた空間部１７を形成し、該基枠部の下端中央表面側に断面Ｌ字形のフック部１６を設け、該フック部と前記段部２３の表面側の中央に突設した台部２４との間に、鋼線を折り曲げて形成したばね体１８を取付けて吊下部１５を形成してある。
【００２０】
前記ばね体１８は、中間部分を細幅のＵ字形に折り曲げて折曲部１９を形成し、該ばね体の両側端部２１、２１を左右に広げて前記台部２４の両側にそれぞれ枢動可能に軸支し、前記折曲部１９から台部２４方向の略先方を基枠部側に湾曲させ、湾曲させた中間部分に設けた湾曲頂部２０を前記フック部１６の上端内側に付勢させて当接させてある。
【００２１】
前記基枠部１４の上方に設けた支持部２６は、前記の如く、段部２３を介して一体に形成され、該支持部の上部に設けた切欠嵌合孔２７の軸線方向と直角方向の上方に切欠嵌合孔２７と連通する連通路２８を設けてある。この連通路２８の開口幅を前記切欠嵌合孔２７の内径Ｈよりやや狭い幅ｈに設けたことにより、後記の保持体３０の支持筒３８に前記なす環１３の切欠嵌合孔２７を嵌合して枢動可能に吊下げることができる（Ｈ＞ｈ）。
【００２２】
係止片３６の支持筒３８に回転可能に吊下げたなす環１３は、支持部２６の切欠嵌合孔２７に連通した連通路２８は、なす環１３が引張られる方向と反対側に連通路２８を開口してある。したがって、なす環１３が水平方向または垂直方向さらには斜め方向など、どの方向に引張られても引張り方向と反対側に連通路２８が位置し、所定以上の引張力が作用すると、連通路２８の内壁面２９、２９の押圧力により支持筒３８の周面が求心方向へ押圧変形されて離脱させることができる。
【００２３】
前記なす環１３に加わる引張力は、２２〜２８ｋｇの力、好ましくは２５ｋｇ前後の引張力が作用すると、前記したごとく、なす環１３の垂直方向上端に開口した連通路２８の内壁面２９、２９に押圧されて支持筒３８の周面が変形することにより、支持筒３８が切欠嵌合孔２７から連通路２８を抜けることによりなす環１３を前記保持体３０から離脱させることができる。
【００２４】
図４に示すごとく、なす環１３は、垂直方向の側面形状を中央部分に設けた段部２３を略クランク形に形成して基枠部１４を後部側、支持部２６を前側にズラして形成してある。したがって、なす環１３の基枠部１４を後ろ側、支持部２６を前側にそれぞれ位置させることにより、このなす環１３を吊下具１１として使用した場合、前後左右に揺動するなす環１３に対して前後方向に無理な力が作用した場合、前後方向の力を吸収してなす環１３が壊れるのを防止することができる。
【００２５】
ランドセル１の大マチ部３に取付ける吊下具１１は、図２、５、６に示すごとく、なす環１３を吊下げるための保持体３０と、該保持体を大マチ部３に固定するための固着手段である連結筒４５と、該連結筒と嵌合する圧入ピン５０とからなり、前記保持体３０は、合成樹脂材により形成した取付片３１の上端と、なす環１３を吊下げるための係止片３６の上端を可撓性を有する連結片４２でそれぞれ一体に連結して形成してある。
【００２６】
この場合、筒孔３３を有した取付片３１と、軸孔３９を具えた支持筒３８を有した係止片３６とを一体に形成しないで、別体に形成してもよいものである。
【００２７】
前記保持体３０の取付片３１は、扁平に形成した板部３２の中央に筒孔３３を設け、後部面に水平方向の大マチ部３に取付けた前締ベルト８を嵌合する凹溝部３４を設けてある。前記係止片３６は、板状に形成した表面板３７の内側中央に直角方向に前記なす環１３を吊下げるための支持筒３８を一体に形成し、該支持筒の軸心方向に連結筒４５の軸部４６が挿通する軸孔３９を設け、前記表面板３７の表面側に金属製の圧入ピン５０の係止鍔部５３を装着する座ぐり部４０を設けてある。
【００２８】
前記連結筒４５は合成樹脂材で形成してあり、図６に示すごとく、前記保持体３０に設けた取付片３１の筒孔３３と、係止片３６の軸孔３９に挿通する軸部４６の一端に係止鍔部４８を一体に設け、該係止鍔部を設けた軸部４６の反対側の軸心方向に前記圧入ピン５０のピン軸５１が圧入されるピン孔４７を設けてある。
【００２９】
前記圧入ピン５０は、前記連結筒４５のピン孔４７に圧入するピン軸５１の周面で同心円状に、ピン孔４７から圧入するピン軸５１が抜けるのを防止する複数の環状突起５２を一定間隔に同心円状に一体に形成し、該ピン軸の一端に前記係止片３６の座ぐり部４０に装着する軸止鍔部５３を一体に設けてある。
【００３０】
以下、本考案の実施の形態の作用について説明すると、なす環１３は、中央に空間部１７を有した基枠部１４の上方に段部２３を介して支持部２６を一体に形成したことにより、なす環１３を構成する部品数を減らしてコストの軽減と軽量化を図ることができる。
【００３１】
なす環１３を構成する基枠部１４の表面側にＬ字形に形成したフック部１６と、前記段部２３の形成した台部２４との間に、先端をＵ字形に折り曲げた折曲部１９を有したばね体１８で吊下部１５を形成したことにより、簡単で安全確実に巾着袋を着脱させることができる。
【００３２】
なす環１３を構成する支持部２６に設けた切欠嵌合孔２７は、なす環１３の吊下方向と反対側の軸心方向の一端に連通路２８を開口し、該連通路の開口幅を、切欠嵌合孔２７の内径Ｈよりやや狭い開口幅ｈに形成してある。したがって、なす環１３が引張られる方向と反対側に連通路２８が位置し、なす環１３が引張られるとその引張力で支持筒３８の周面が連通路２８の内壁面２９、２９により求心方向に押圧されて変形し、支持筒３８が連通路２８を抜けてなす環１３を前記保持体３０から離脱させることができる。
【００３３】
前記なす環１３を吊下具１１の一構成部品として使用した場合、なす環１３に吊下げた袋が引っ掛かって所定以上の引張力（２２〜２８ｋｇ）好ましくは、２５ｋｇ前後の引張力が加わると、前記したごとく、なす環１３が壊れることなく安全確実に保持体３０から離脱させることがきるので、なす環１３を再使用が可能となり経済的である。
【００３４】
前記なす環１３を吊下具１１としてランドセル１の大マチ部３に取付ける場合、図５、６に示すごとく、保持体３０の係止片３６に設けた支持筒３８になす環１３の切欠嵌合孔２７を嵌合して枢動可能に吊下げ、次いで、係止片３６と取付片３１を互いに並行に合わせてから、取付片３１の凹溝部３４を大マチ部３に設けた前締めベルト８の所定位置に嵌合した後、大マチ部３の後部側から、連結筒４５の軸部４６を大マチ部３のピン孔９から取付片３１の筒孔３３を通して係止片３６の軸孔３９に挿通し、係止片３６の表面板３７側から圧入ピン５０のピン軸５１を連結筒４５のピン孔４７に挿入圧着して吊下具１１を大マチ部３に取付けることができる。
【００３５】
大マチ部３の前締めベルト８に保持体３０を取付ける場合、取付片３１と、なす環１３を吊下げる係止片３６を連結片４２で連結して一体に形成してあるため、部品がばらばらにならず大マチ部３への装着作業が容易で作業効率の向上を図ることができる。
【００３６】
従来、大マチ部３に吊下具１１を取付ける場合、はとめやリベットなどの留具を使用して取付けていたため、専用治具を使用してかしめ止めしなければならないが、本考案は、連結筒４５に抜き出しが困難な圧入ピン５０を挿入圧着するだけで簡単に締着固定することができ、圧入された圧入ピン５０は、ピン軸５１の周面に複数の環状突起５２をスパイラル状ではなくそれぞれ別個に設けてあるため、該圧入ピンを回転させても単に回転するだけで抜け出るおそれがなく、能率的に取付作業を行うことができる。
【００３７】
吊下具１１のなす環１３に巾着袋を吊下げて学童がランドセル１を背負って走ったり、ランドセル１を左右に振った程度の引張力（２０ｋｇ以下）では、なす環１３の切欠嵌合孔２７に連通した連通路２８の内壁面２９の押圧力が弱く係止片３６の支持筒３８が変形しないため、なす環１３が支持筒３８から離脱することなく確実に支持することができる。
【００３８】
係止片３６の支持筒３８に回転可能に吊下げたなす環１３は、切欠嵌合孔２７に連通した連通路２８を、なす環１３の吊下方向と反対側に設けてあるため、連通路２８は常になす環１３が引張られる方向と反対側に位置する。したがって、なす環１３が水平方向または垂直方向さらには斜め方向など、どの方向から引張られても引張り方向と反対側に連通路２８が位置し、所定以上の引張力が作用した場合には、連通路２８の内壁面２９、２９に押圧されて支持筒３８が変形し、なす環１３を離脱させることができる。
【００３９】
したがって、学校の登下校中にランドセル１の吊下具１１に吊下げた巾着袋が、万一、生垣の枝に引っ掛けたり、狭い道ですれ違った車両の突起部分に引掛けたりした場合、所定以上の引張力（２２〜２８ｋｇ）好ましくは、２５ｋｇ前後の引張力が加わると、切欠嵌合孔２７と連通した連通路２８が引張り方向と反対側に引張られて連通路２８の内壁面２９、２９に支持筒３８の周面が挟まれると共に、引張力で求心方向に押圧変形しながら連通路２８を抜け、なす環１３を保持体３０から離脱させる。したがって、引かかった袋により学童が引張られた力で転倒して怪我をする事故を未然に防止することができ安全である。
【００４０】
大マチ部３と吊下具１１との間に、保護板を介在させて吊下具の揺動によるスレで大マチ部の表面の傷付きを防止することができるのは勿論である
【符号の説明】
【００４１】
１    ランドセル
２    背板
３    大マチ部
４    マチ部
５    前ポケット部
６    蓋板
７    背負いベルト
８    前締めベルト
９    ピン孔
１１  吊下具
１３  なす環
１４  基枠部
１５  吊下部
１６  フック部
１７  空間部
１８  ばね体
１９  折曲部
２０  湾曲頂部
２１  端部
２３  段部
２４  台部
２６  支持部
２７  切欠嵌合孔
２８  連通路
２９  壁面部
３０  保持体
３１  取付片
３２  板部
３３  筒孔
３４  凹溝部
３６  係止片
３７  表面板
３８  支持筒
３９  軸孔
４０  座ぐり部
４２  連結片
４５  連結筒
４６  軸部
４７  ピン孔
４８  係止鍔部
５０  圧入ピン
５１  ピン軸
５２  環状突起
５３  軸止鍔部
【図１】
0003172052.tif 000003
【図２】
0003172052.tif 000004
【図３】
0003172052.tif 000005
【図４】
0003172052.tif 000006
【図５】
0003172052.tif 000007
【図６】
0003172052.tif 000008
【図７】
0003172052.tif 000009
【図８】
0003172052.tif 000010
【図９】
0003172052.tif 000011